(57)【要約】【課題】使い勝手に優れた袋体を提供する。【解決手段】第一シート部材１０と、第一シート部材１０と周縁部の一部で接続される第二シート部材２０と、第二シート部材２０の第一シート部材１０と対向する面と逆の面に形成され、固定先６に固定される粘着部材３０と、を備える袋体１である。袋体１は、第一シート部材１０および第二シート部材２０の間に形成される収容空間４と、収容空間４に被収容物５を出し入れする開口２と、を有し、少なくとも第一シート部材１０または第二シート部材２０から被収容物５を視認可能に収容し、第二シート部材２０は、開口２において収容空間４の外側に突出した押え片３を有する。【選択図】  図１
0003233901.tif 000002
【実用新案登録請求の範囲】
【請求項１】
第一シート部材と、前記第一シート部材と対向し前記第一シート部材と周縁部の一部で接続される第二シート部材と、前記第二シート部材の前記第一シート部材と対向する面と逆の面に形成され、固定先に固定される粘着部材と、を備える袋体であって、
前記袋体は、前記第一シート部材および前記第二シート部材の間に形成される収容空間と、前記収容空間に被収容物を出し入れする開口と、を有し、少なくとも前記第一シート部材または前記第二シート部材から前記被収容物を視認可能に収容し、
前記第二シート部材は、前記開口において前記収容空間の外側に突出した押え片を有する、袋体。
【請求項２】
前記粘着部材は、少なくとも前記押え片に配置される、請求項１記載の袋体。
【請求項３】
前記第一シート部材は、対向する第一辺および第二辺と、前記第一シート部材の前記第一辺および前記第二辺の両端部をつなぐ対向する第三辺および第四辺と、を有し、
前記第二シート部材は、対向する第一辺および第二辺と、前記第二シート部材の前記第一辺および前記第二辺の両端部をつなぐ対向する第三辺および第四辺と、を有し、
前記第二シート部材の前記第一辺および前記第二辺は、前記第一シート部材の前記第一辺および前記第二辺よりも長く、
前記第一シート部材の前記第一辺、前記第二辺および前記第三辺は、前記第二シート部材の前記第一辺、前記第二辺および前記第三辺にそれぞれ接続されて閉じられ、
前記第一シート部材の前記第四辺と前記第二シート部材の前記第四辺とは、前記開口を形成し、
前記第一シート部材の前記第四辺から前記開口の取出方向に突出する前記第二シート部材の領域は、前記押え片となる、請求項１または２記載の袋体。
【請求項４】
前記粘着部材は、前記第二シート部材の前記第四辺にのみ沿って形成されるテープ状の部材である、請求項３記載の袋体。
【請求項５】
前記第一シート部材および前記第二シート部材は、透明部材である、請求項１から４のいずれか一項記載の袋体。
【請求項６】
前記第一シート部材および前記第二シート部材は、二軸延伸ポリプロピレンまたは無延伸ポリプロピレンからなる、請求項１から５のいずれか一項記載の袋体。
【請求項７】
前記袋体は、鉛直方向に沿う面に前記粘着部材により固定されることにより前記被収容物を前記面に掲示する用途で使用される、請求項１から６のいずれか一項記載の袋体。
【請求項８】
前記袋体は、冊子状物に前記粘着部材により固定されることにより前記被収容物を前記冊子状物に固定する用途で使用される、請求項１から６のいずれか一項記載の袋体。
【考案の詳細な説明】
【技術分野】
【０００１】
本考案は、被収容物を視認可能に固定先に固定しうる袋体に関する。
【背景技術】
【０００２】
従来、特許文献１において、広告などの掲示物を掲示するための掲示用具が知られている。この掲示用具は、粘着部を有することにより、別途の粘着テープなどを掲示物に貼り付けることなく、保持する掲示物を窓ガラスなどの対象物に貼り付ける。
【先行技術文献】
【特許文献】
【０００３】
【特許文献１】実用新案登録第３０３０１１３号
【考案の概要】
【考案が解決しようとする課題】
【０００４】
しかしながら、特許文献１のような袋体は、固定先に対する粘着性や被収容物の出し入れのしやすさに関して改良の余地があり、さらに使い勝手の向上が求められている。
【０００５】
本考案はこのような事情を考慮してなされたもので、使い勝手に優れた袋体を提供することを目的とする。
【課題を解決するための手段】
【０００６】
本考案に係る袋体は、上述した課題を解決するために、第一シート部材と、前記第一シート部材と周縁部の一部で接続される第二シート部材と、前記第二シート部材の前記第一シート部材と対向する面と逆の面に形成され、固定先に固定される粘着部材と、を備える袋体であって、前記袋体は、前記第一シート部材および前記第二シート部材の間に形成される収容空間と、前記収容空間に前記被収容物を出し入れする開口と、を有し、少なくとも前記第一シート部材または前記第二シート部材から前記被収容物を視認可能に収容し、前記第二シート部材は、前記開口に前記第一シート部材よりも前記開口外方向に突出した押え片を有する。
【考案の効果】
【０００７】
本考案に係る袋体においては、使い勝手に優れている。
【図面の簡単な説明】
【０００８】
【図１】本実施形態における袋体の正面図。
【図２】袋体の縦断面図。
【考案を実施するための形態】
【０００９】
本考案に係る袋体の実施形態を添付図面に基づいて説明する。
【００１０】
図１は、本実施形態における袋体１の正面図である。
【００１１】
図２は、袋体１の縦断面図である。
【００１２】
袋体１は、表シート部材１０（第一シート部材）と、裏シート部材２０（第二シート部材）と、粘着テープ３０（粘着部材）と、を有する。
【００１３】
表シート部材１０および裏シート部材２０は、例えば、二軸延伸ポリプロピレン（ＯＰＰ（Oriented Polypropylene））、無延伸ポリプロピレン（ＣＰＰ（Cast Polypropylene））、高密度ポリエチレン（ＨＤＰＥ（High Density PolyEthylene））、低密度ポリエチレン（ＬＤＰＥ（Low Density Polyethylene）、ＬＬＤＰＥ（Linear Low Density Polyethylene））、その他溶断シール可能な特殊プラスチックフィルムなどの、無色透明または有色透明な被収容物５を視認可能な部材からなり、２０〜１００μｍの厚みを有する。
【００１４】
表シート部材１０および裏シート部材２０は、それぞれ対向する左辺１１、２１（第一辺）および右辺１２、２２（第二辺）を有する。また、表シート部材１０および裏シート部材２０は、それぞれ、左辺１１、２１および右辺１２、２２の両端をつなぐ、対向する下辺１３、２３（第三辺）および上辺１４、２４（第四辺）を有する。
【００１５】
表シート部材１０の左辺１１、右辺１２および下辺１３は、裏シート部材２０の左辺２１、右辺２２および下辺２３（周縁部の一部）にそれぞれ接続され、閉じられている。各辺の接続方法は特に限定されず、接合や、熱圧着などが用いられる。接続されない上辺１４、２４は、袋体１の開口２を形成する。また、表シート部材１０および裏シート部材２０は、表シート部材１０および裏シート部材２０の間に、被収容物５の収容空間４を形成する。
【００１６】
裏シート部材２０の左辺２１および右辺２２は、表シート部材１０の左辺１１および右辺１２よりも長い。すなわち、裏シート部材２０の上辺２４は、表シート部材１０の上辺１４よりも上方に位置する。この、表シート部材１０の上辺１４から上方（開口２の取出方向）に突出する裏シート部材２０の領域は、押え片３となる。押え片３は、開口２において収容空間４の外側に配置される、上辺１４よりも外側に突出した裏シート部材２０の一部分である。押え片３は、ユーザが開口２から収容空間４に被収容物５を出し入れする際に、出し入れの動作を容易にするために設けられる。
【００１７】
粘着テープ３０は、裏シート部材２０の表シート部材１０と対向する面と逆の面２５に形成される、テープ状の部材である。粘着テープ３０は、固定先６に密着することにより、袋体１を固定先６に固定する。粘着テープ３０は、少なくとも押え片３を含む領域に配置される。本実施形態においては、粘着テープ３０は、裏シート部材２０の上辺２４に沿って（鉛直方向に略直交する方向に沿って）形成される。すなわち、粘着テープ３０は、裏シート部材２０の表シート部材１０と対向する面に設けられていたり、左辺２１、右辺２２、下辺２３に沿って設けられていたりしない。これにより、粘着テープ３０が裏シート部材２０の全面に配置されている場合に比べて、固定先６から取り外す際の作業が容易になり、また固定先６を傷めることを防止できる。
【００１８】
このような袋体１は、被収容物５の寸法（例えばＡ４サイズ、Ａ５サイズ、Ｂ４サイズ、Ｂ５サイズ、Ｌ版写真サイズなど）に応じて、種々の寸法に設定されうる。例えば、被収容物５の寸法がＡ４縦サイズである場合、袋体１の寸法はＡ４サイズの被収容物５が収容可能な寸法であって、左右方向長さは２３０ｍｍ、上下方向長さは３２０ｍｍに設定される。
【００１９】
また、押え片３は、例えば表シート部材１０の上辺１４から上方に向けて５〜１０ｍｍ突出しているのが好ましい。押え片３の寸法は、袋体１の寸法などに応じて使用性を考慮して適宜設定されうる。
【００２０】
このような袋体１は、例えば、鉛直方向に沿う壁面やガラス窓、扉などの固定先６に、粘着テープ３０で貼り付けられて固定されることにより、被収容物５を固定先６に掲示する用途で使用される。また、袋体１は、例えばノートなどの冊子状物に、粘着テープ３０で貼り付けられて固定されることにより、着脱自在の収納袋としても使用される。
【００２１】
以上説明した袋体１は、固定先６に対して着脱自在の粘着テープ３０を有するため、画鋲などの固定手段が使用できないような壁面やガラス窓などに対して、粘着テープ３０で貼り付けるだけで掲示物としての被収容物５を容易に掲示することができる。
【００２２】
また、袋体１は、押え片３を有するため、袋体１への被収容物５を出し入れする際の開口２の開閉を容易に行うことができる。すなわち、上辺１４、２４が同一直線上に重なり合っていると、開口２を開くことが困難な可能性がある。例えば、上辺１４、２４同士を擦り合わせるなどして、開口２を開く動作が必要になるが、これに伴い接続された開口２付近の周縁部が破けてしまったり、表シート部材１０や裏シート部材２０がしわになってしまったりするおそれがある。
【００２３】
これに対し、袋体１が押え片３を有することにより、ユーザは押え片３を片方の手で押さえながら、目視が容易な表シート部材１０の上辺１４を他方の手で開く動作を行うことにより、容易に開口２を開くことができる。このため、ユーザは、袋体１への被収容物５の出し入れを容易に行うことができる。
【００２４】
また、粘着テープ３０が押え片３を含む領域に設けられることにより、固定先６へ袋体１が固定された状態の際には、押え片３が固定先６に固定されているため、上辺１４において、表シート部材１０を裏シート部材２０に対して開く動作を容易に行うことができる。すなわち、上辺１４を開く際に、裏シート部材２０が表シート部材１０に密着してしまい、開きにくい、という現象を抑制できる。
【００２５】
本考案のいくつかの実施形態を説明したが、これらの実施形態は、例として提示したものであり、考案の範囲を限定することは意図していない。これら新規な実施形態は、その他の様々な形態で実施されることが可能であり、考案の要旨を逸脱しない範囲で、種々の省略、置き換え、変更を行うことができる。これら実施形態やその変形は、考案の範囲や要旨に含まれると共に、実用新案登録請求の範囲に記載された考案とその均等の範囲に含まれる。
【００２６】
例えば、開口２が上辺１４、２４で形成される例を説明したが、左辺１１、２１や右辺１２、２２で形成されていてもよい。この場合、押え片が開口から突出して形成されるように、裏シート部材２０は、下辺２３、上辺２４が、下辺１３、上辺１４よりも長くなるような寸法を有する。
【００２７】
表シート部材１０および裏シート部材２０が透明である例を説明したが、被収容物５が視認可能であれば、模様などのデザインや情報伝達のために印刷が施されていてもよい。
【符号の説明】
【００２８】
１  袋体
２  開口
３  押え片
４  収容空間
５  被収容物
６  固定先
１０  表シート部材
１１、２１  左辺
１２、２２  右辺
１３、２３  下辺
１４、２４  上辺
２０  裏シート部材
３０  粘着テープ
【図１】
0003233901.tif 000003
【図２】
0003233901.tif 000004